(57)【要約】【課題】利用者が楽曲を検索する際に選択入力した検索方式に応じたムード映像を表示するカラオケ装置を提供する。【解決手段】検索式選曲手段、カラオケ演奏手段、ムード映像出力手段を備え、検索式選曲手段は、楽曲の属性情報を記述した楽曲索引データベースに基づいて、複数種類の検索方式の中から利用者が選んだ検索方式にて選曲された楽曲を演奏予約し、カラオケ演奏手段は、演奏予約された楽曲のカラオケ伴奏音楽を演奏し、ムード映像出力手段は、演奏予約された楽曲のカラオケ伴奏音楽の演奏時に、ムード映像データベースの中から、当該楽曲と、当該楽曲が検索式選曲手段により選曲されたときの検索方式とに関連付けされたムード映像番組を取り出して映像出力するカラオケ装置とする。【選択図】　　　図５
2004125825.tif 000002
【特許請求の範囲】
【請求項１】
検索式選曲手段、カラオケ演奏手段、ムード映像出力手段を備え、
検索式選曲手段は、楽曲の属性情報を記述した楽曲索引データベースに基づいて、複数種類の検索方式の中から利用者が選んだ検索方式にて選曲された楽曲を演奏予約し、
カラオケ演奏手段は、演奏予約された楽曲のカラオケ伴奏音楽を演奏し、
ムード映像出力手段は、演奏予約された楽曲のカラオケ伴奏音楽の演奏時に、ムード映像データベースの中から、当該楽曲と、当該楽曲が検索式選曲手段により選曲されたときの検索方式とに関連付けされたムード映像番組を取り出して映像出力する、
ことを特徴とするカラオケ装置。
【発明の詳細な説明】
【０００１】
【発明が属する技術分野】
この発明は、カラオケ伴奏音楽の演奏時にムード映像をディスプレイに表示するカラオケ装置に関し、とくに、利用者が希望曲を検索する際に選択した検索方式にふさわしいムード映像番組をムード映像データベースから選択して表示する方式に関する。
【０００２】
【発明の背景】
カラオケ装置において、カラオケ楽曲の伴奏音楽の演奏時にディスプレイに表示されるムード映像は、一般的な通信タイプのカラオケ装置では、共用のムード映像をＣＤ−ＲＯＭ等に収録しておき、各楽曲で使い回している。しかし、ムード映像は今やカラオケの楽しみの一つになっており、このムード映像を充実した内容豊富なものにすることはカラオケの商品性を大きく高めることにつながる。そのため、様々な工夫がこらされるようになった。
【０００３】
例えば、このような共用のムード映像の中から各曲で使用するムード映像を事前に決めておき、その楽曲が演奏されるときには必ず決まったムード映像が表示される方式もあれば、演奏される楽曲の音楽ジャンルに適合するムード映像をランダムに選択して表示するような方式もある。
またカラオケ事業者が、楽曲の内容に合わせてロケを行ったり元歌歌手を登場させたり、さまざまに工夫して各楽曲に専用の映像番組を制作して供給しているものもある。さらには、アマチュアの映像作家が制作した作品の投稿を受け付けて、各楽曲用の映像番組とする方式も実用化されている。また、これらの様々な映像番組の中から、カラオケ利用者が選択する方式も開発されている。
【０００４】
一方、カラオケ楽曲の選曲ツールにも様々なものがある。例えば本出願人が実用化した検索式カラオケリモコン装置がある。このカラオケリモコン装置は、曲名検索や歌手名検索はもちろんのこと、流行時期で検索するあのころ検索などの多彩な検索方式を備えている。
【０００５】
そこで本発明者は、数多くの映像番組の中から利用者の好みや心情にふさわしいものが、利用者のことさらな操作を必要とせずに自動的に選出されると便利だと考えた。そのために、利用者がどのようなアプローチでその楽曲を選曲したかに着目した。同じ楽曲にたどり着くにしても、その曲に対する思い入れの程度がアプローチのしかたの違いに表れると考えた。
【０００６】
例えば「曲名」検索を使って選曲した利用者はその曲そのものに強いこだわりを持っていると考えられるから、その楽曲専用に制作されたムード映像が表示されると喜ぶだろう。
これに対して「歌手名」検索によって選曲した利用者は、その元歌歌手が好みなのであろうから、歌手本人が出演するムード映像が表示されれば大いに喜ぶだろう。
あるいは、「あのころ」検索で選曲した利用者は、とくにその時代を懐かしく思い出していると考えられるから、当時話題になったテレビ番組や人、ニュースの映像がムード映像として表示されれば盛り上がるだろう。
あるいはまた「新譜」検索で選曲した利用者には、プロモーションビデオをムード映像として表示すれば、この利用者が喜ぶだけでなく、宣伝広告効果も高くなる。
【０００７】
【発明の開示】
本発明の目的は、利用者が楽曲を検索する際に選択入力した検索方式に応じたムード映像を表示するカラオケ装置を提供することにある。
本発明に係るカラオケ装置は、検索式選曲手段、カラオケ演奏手段、ムード映像出力手段を備え、検索式選曲手段は、楽曲の属性情報を記述した楽曲索引データベースに基づいて、複数種類の検索方式の中から利用者が選んだ検索方式にて選曲された楽曲を演奏予約し、カラオケ演奏手段は、演奏予約された楽曲のカラオケ伴奏音楽を演奏し、ムード映像出力手段は、演奏予約された楽曲のカラオケ伴奏音楽の演奏時に、ムード映像データベースの中から、当該楽曲と、当該楽曲が検索式選曲手段により選曲されたときの検索方式とに関連付けされたムード映像番組を取り出して映像出力するものである。
【０００８】
【発明の実施の形態】
＝＝＝カラオケ装置の構成例＝＝＝
この発明を適用した通信カラオケ装置のハードウェア主体の構成例を図１に示している。カラオケ装置はパソコン相当のコンピュータ応用機器であって、中央処理装置１がＣＰＵ・ＲＡＭ・ＲＯＭを含んだコンピュータ本体であり、大容量の外部記憶としてハードディスク装置２とＣＤ−ＲＯＭやＤＶＤ−ＲＯＭを再生する光ディスク装置３と、加入者電話回線またはＩＳＤＮ回線を介してカラオケホスト装置と通信する通信制御装置４と、利用者からの入力と利用者に向けての応答とをやりとりする利用者インタフェース装置５と、ＭＩＤＩ形式の音楽演奏データに基づいて伴奏音楽の音響信号を生成する音楽生成装置６と、伴奏音楽やマイクロホンからの音響信号を増幅してスピーカから発音する音響装置７と、ＣＲＴやＬＣＤあるいはＰＤＰなどを用いたディスプレイ８と、このディスプレイ８に表示すべき映像データを処理する映像処理装置９とを備えている。
利用者インタフェース装置５には、装置本体の操作パネル（キーボードとディスプレイ）が含まれるとともに、短距離無線通信手段（ＩｒＤＡトランシーバ・赤外線ＬＥＤ・赤外線受光素子）を備えた検索式のカラオケリモコン装置が付属している。
【０００９】
＝＝＝カラオケデータの基本処理＝＝＝
中央処理装置１は、利用者インタフェース装置５を介して楽曲のリクエストを受け取ると、リクエストに含まれる予約曲情報に基づいて、適宜な記憶部に演奏予約の待ち行列を作成し、カラオケ楽曲の演奏順番を管理している。演奏予約情報の中には希望曲の楽曲番号が含まれている。中央処理装置１は演奏予約情報が入力されたら、その中の楽曲番号がカラオケデータベースに登録されている演奏可能な楽曲の番号であることを確認したうえで、その楽曲番号を待ち行列に登録する。
【００１０】
中央処理装置１は、待ち行列から登録順に楽曲番号を取り出し、ハードディスク装置２に構築されたカラオケデータベースから該当する楽曲のカラオケデータを取りだして処理する。カラオケデータは、楽曲番号をキーとして、ＭＩＤＩデータやＡＤＰＣＭデータなどで表現された伴奏音楽の起源となる音楽演奏データと、伴奏音楽に同期した歌詞字幕を表示するための歌詞字幕データと、伴奏音楽の出力期間にムード映像として表示すべきムード映像番組を直接または間接に指定する映像選択記述子などが対応づけられたデータ群である。
【００１１】
なお、ハードディスク装置２と光ディスク装置３を記憶資源として、カラオケ演奏時にムード映像として表示される映像データベースも構築されている。中央処理装置１は、カラオケデータの処理の一環として、前記映像選択記述子に基づいて映像データベースから適宜なムード映像番組を取りだして、映像処理装置９に受け渡し、ディスプレイ８に表示する。
【００１２】
本実施例においては、後述するように、映像選択記述子として複数のムード映像番組の選択肢が含まれており、演奏時にこの選択肢から択一されることによって演奏中に表示すべきムード映像番組が決まるようになっている。
【００１３】
＝＝＝検索式カラオケリモコン装置＝＝＝
本実施例に係るカラオケ装置には、検索式のカラオケリモコン装置が付属している。この検索式カラオケリモコン装置の外観を図２に示し、その電子システム構成を図３に例示している。このカラオケリモコン装置は、Ｂ５判ほどの寸法で厚みのあるパネル型のキーボードレス・コンピュータである。
【００１４】
外観的には装置正面の大部分が液晶表示パネル（ＬＣＤ）２１ａに透明タッチセンサ２１ｂを重ねた液晶タッチパネル２１で占められ、内部には、ＣＰＵ・ＲＡＭ・ＲＯＭを含む中央処理装置２２と、液晶表示パネル２１ａを表示駆動する表示ドライバ２３と、透明タッチセンサ２１ｂに対する入力座標を検出する入力検出回路２４と、大容量の外部記憶であるフラッシュメモリ２５と、カラオケ装置と交信するための短距離無線通信手段（ＩｒＤＡトランシーバ２６・赤外線ＬＥＤ２７・赤外線受光素子２８）と、充電ステーションと結合して充電される電源電池（図示省略）と、充電ステーションに付属のデータ通信装置を介してカラオケ装置とデータ通信する通信制御部２９などが実装されている。赤外線ＬＥＤ２７と赤外線受光素子２８は、カラオケリモコン装置の上部中央部に配設されており、液晶タッチパネル２１の上方にその指向性が向くようにレイアウトされている。
【００１５】
中央処理装置２２は、楽曲索引データベースをフラッシュメモリ２５に格納して管理する。楽曲索引データベースは、カラオケ装置で演奏に供される多数の楽曲についての属性情報を記述したデータベースであり、楽曲番号・曲名・歌手名・歌い出し部分の歌詞・流行時期・音楽ジャンル区分・デュエット曲か否かなど、さまざまな属性情報がこれに含まれている。検索式カラオケリモコン装置をカラオケ装置に接続されている充電ステーションに結合した状態において、中央処理装置２２は通信制御部２９を介してカラオケ装置とデータ通信し、楽曲索引データベースの内容を更新するようにシステム構成されている。
【００１６】
検索式カラオケリモコン装置の中央処理装置２２は、利用客が希望の楽曲を前記楽曲索引データベースに基づいて検索するための処理を実行する。このデータベース検索処理の初期状態では、検索メニュー画面（トップ画面）が液晶タッチパネル２１に表示される。図４に検索メニュー画面（トップ画面）を例示した。本実施例においては、曲名検索、歌手名検索、新譜検索、あのころ検索、デュエット検索、ジャンル検索、予約履歴検索、曲番入力などのメニュー（検索方式）が用意されている。
【００１７】
例えば曲名検索とは、楽曲名の一部を指定して検索するものである。「曲名」検索ボタンにタッチ入力すると、５０音のカナ文字パレット画面に表示が切り替わる。さらに、その画面上でカナ文字にタッチして曲名を頭文字から順番に入力して（途中まででもよい）、検索実行ボタンにタッチ入力すると、楽曲索引データベースの属性情報の曲名を参照のうえ該当する楽曲群が抽出されて一覧的に列挙表示される。
【００１８】
また歌手名検索とは、楽曲の元歌歌手の名前を指定して、その歌手の楽曲の中から検索するものである。曲名検索と同様に、歌手名を頭文字から順番に入力すると、楽曲索引データベースの属性情報の中から歌手名を参照のうえ、該当の楽曲群が抽出されて一覧的に表示される。
【００１９】
同様に、ジャンル検索とは演歌・ポップス・洋楽といった音楽ジャンル区分を指定して、そのジャンルに該当する楽曲の中から検索するものであり、新譜検索とは、その月の新譜としてカラオケに登録された曲の中から希望曲を検索するためのものである。またデュエット検索とはデュエット曲の中から検索するものである。それぞれ、楽曲索引データベースの属性情報のうち音楽ジャンル区分や「新譜」「デュエット曲」といった登録情報に基づいて、該当する楽曲群が抽出されて表示される。
【００２０】
さらに、あのころ検索とは、現在ある年齢の人が過去のある年齢または学年の頃にヒットした曲や、レコード大賞を受賞したり紅白歌合戦で歌われたりした曲を検索して一覧的に表示するものである。利用者の年齢に関する情報が入力されると、その情報から検索する時代を特定して楽曲索引データベースに照会する。そして、楽曲データベースの属性情報から流行時期や「ヒット曲」「紅白歌合戦出場曲」といった登録情報に基づいて、該当する楽曲群が抽出され表示される。
【００２１】
その他にも、これまでに演奏予約した楽曲の中から再び検索する予約履歴検索や、直接楽曲番号を指定する曲番入力などの検索方式も利用可能である。
【００２２】
上記のようにして一覧的に表示された楽曲の中から利用者が希望曲を選んで予約イベント操作をすると、短距離無線通信手段（ＩｒＤＡトランシーバ２６・赤外線ＬＥＤ２７・赤外線受光素子２８）が近辺に存在するカラオケ装置と交信し、希望曲の楽曲番号を含んだ演奏予約情報がカラオケ装置に通知される。
【００２３】
なお、本実施例における検索式カラオケリモコン装置は、利用者が希望曲を検索する際に検索メニュー画面で選択した検索方式と、その方式に関連する情報とをメモリに一時記憶しておく。そして、カラオケ装置に通知する演奏予約情報には検索方式とともに検索方式関連情報が含まれている。
【００２４】
＝＝＝映像選択記述子と映像選択処理＝＝＝
本実施例における、各楽曲のカラオケデータに含まれる映像選択記述子の論理構成を図５に示している。映像選択記述子は、当該楽曲の演奏時に表示され得るムード映像番組について、映像データベースにおける所在の情報と選択条件とを示すものである。図５では多数の項目にわたる映像選択情報項目のうち、映像種別に関するもののみを示している。映像種別には、プロモーション映像・本人出演映像・ストーリームード映像・流行当時映像・カップル映像・ジャンル映像などがあり、各映像種別に対応する映像番組の映像データベースにおける所在の情報が対応付けされている。
【００２５】
各映像番組の所在情報は、一般的には映像番組の開始位置や終了位置を示す区分ＩＤによって表現される。ここで区分ＩＤは、例えば、光ディスク再生装置のドライブ番号／トレイ番号などで指定されるディスク収納場所と、トラック番号などで指定されるディスクの再生位置との情報の組み合わせによって表現されるものである。あるいは、所在情報として、カラオケ演奏開始からの経過時間と表示すべき映像番組の区分ＩＤとを対応づけて時系列に並べた映像台本データとすることもできる。
【００２６】
カラオケ装置ではまた、図６のように、利用者が選曲に利用した検索方式とムード映像の映像種別とを対応づけしたテーブルを作成して管理している。図６では、例えば新譜検索によって選曲された楽曲の演奏時には、新譜のプロモーション用ビデオなどのプロモーション映像を表示する、ということを意味している。また歌手名検索によって選曲された楽曲の演奏時には、元歌歌手本人が出演する本人出演映像を表示する。曲名検索や予約履歴や曲番直接入力によって選曲された楽曲の演奏時には、特にその楽曲専用に作成されたストーリームード映像を表示する。同様にあのころ検索によって選曲された楽曲の演奏時には、あのころで指定された当時の流行番組やニュースなどから構成された流行当時映像を表示し、デュエット検索によって選曲された楽曲の演奏時には、カップルをテーマにしたり連想させたりする映像作品からなるカップル映像を表示する。そして、ジャンル検索によって選曲された楽曲の演奏時には、そのジャンル（演歌・ポップス・洋楽など）のイメージ映像からなるジャンル映像を表示する。
【００２７】
本実施例において、カラオケ装置が検索式カラオケリモコン装置から受け取る演奏予約情報には、当該楽曲を検索するために利用者が選択した検索方式とその方式に関連する情報が含まれる。例えば選択された検索方式が歌手名検索であれば、入力された歌手名などの情報も合わせて含まれる。また、あのころ検索であれば、指定された時期などの情報も合わせて含まれる。受け取ったこれらの情報は、待ち行列の楽曲番号に対応付けして管理している。
【００２８】
カラオケ装置の中央処理装置１は、演奏の待ち行列に従って次に演奏すべき楽曲の楽曲番号が決まると、その楽曲番号に対応するカラオケデータをカラオケデータベースから取りだして演奏準備を開始する。それとともに、先述した映像選択記述子の選択肢を択一する処理を実施する。すなわち、まず楽曲番号に対応づけられた検索方式に対応する映像種別を取り出し、その映像種別とカラオケデータに含まれる映像選択記述子とを対照し、対応する映像番組の所在情報を取り出す。カラオケ演奏が始まると、この所在情報に従ってムード映像データベースのムード映像番組を取り出して再生し、ディスプレイに表示する。
【００２９】
以上のようにして、利用者が楽曲検索時に選択した検索方式に基づいて複数のムード映像番組から自動的に選択されることにより、利用者がことさらに操作を行うことなく、利用者の心情や好みに合わせたムード映像が表示されることになる。
【００３０】
＝＝＝他の実施例＝＝＝
図５に例示した映像選択記述子では、各楽曲について、全ての映像種別に映像番組を対応づけする方式としている。この場合には、映像番組が楽曲専用か共用かは問わない。これ対して、楽曲専用の映像番組が供給されている場合にだけ対応付けする方式とすることも可能である。ある楽曲の映像選択記述子につき、利用者が選択した検索方式に対応する映像種別に対して映像番組が対応づけされていない場合には、例えば、検索方式や検索方式関連情報に基づいて、共用のムード映像番組から適宜な映像区間を取り出して表示するようにすることができる。
【００３１】
【発明の効果】
この発明に係るカラオケ装置によれば、利用者の心情や好みにふさわしい映像を複数のムード映像番組から自動的に選択して表示することが可能となる。そのため、同じ曲を同じ人が選曲しても、心情によって異なるムード映像番組が表示される場合もあり、カラオケの楽しみが増大する。また、ことさら面倒な操作を必要とせずに気軽に楽しめるので、カラオケ利用者の増加を期待できる。
【図面の簡単な説明】
【図１】この発明の一実施例に係るカラオケ装置のハードウェア構成の概略図である。
【図２】この発明の一実施例に係る検索式カラオケリモコン装置の概略外観図である。
【図３】この発明の一実施例に係る検索式カラオケリモコン装置の電子システム構成の概略を示すブロック図である。
【図４】この発明の一実施例に係る検索式カラオケリモコン装置にて表示されるトップ画面の概略を示した図である。
【図５】この発明の一実施例に係る映像選択記述子の論理構成を例示した図である。
【図６】この発明の一実施例に係る検索方式と映像種別との対応テーブルを例示した図である。
【符号の説明】
１　中央処理装置
２　ハードディスク装置
３　光ディスク装置
４　通信制御装置
５　利用者インタフェース装置
６　音楽生成装置
７　音響装置
８　ディスプレイ
９　映像処理装置
【図１】
2004125825.tif 000003
【図２】
2004125825.tif 000004
【図３】
2004125825.tif 000005
【図４】
2004125825.tif 000006
【図５】
2004125825.tif 000007
【図６】
2004125825.tif 000008